(57)【特許請求の範囲】
【請求項１】
複数の蓄電池からなる組電池と、
前記各蓄電池の電圧を検知する電圧検知手段と、
この電圧検知手段の各検知電圧と基準値との比較により前記各蓄電池の電圧異常を判定する判定手段と、
前記組電池のインピーダンスを検出するインピーダンス検出手段と、
このインピーダンス検出手段の検出インピーダンスと設定値との比較により前記組電池の劣化または寿命切れを判定する判定手段と、
前記各判定手段の判定結果を報知する報知手段と、
初期補正モードを設定するための設定手段と、
この設定手段で初期補正モードが設定されたとき、前記インピーダンス検出手段を機能させ、インピーダンス検出手段の検出インピーダンスから前記各蓄電池の初期内部インピーダンスの合計基準値を減算して前記組電池における配線インピーダンスを求め、この配線インピーダンスおよび検出インピーダンスに基づいて前記設定値を補正する補正手段と、
を具備したことを特徴とする蓄電池電源装置。
【請求項２】
商用交流電源の電圧を整流する整流回路、およびこの整流回路の出力電圧を交流に変換するスイッチング回路を備えたインバータ回路に接続される蓄電池電源装置において、
前記整流回路と前記スイッチング回路との間の通電路に対する接続が可能な接続端子と、
複数の蓄電池からなり、前記接続端子に接続された組電池と、
前記各蓄電池の電圧を検知する電圧検知手段と、
この電圧検知手段の各検知電圧と基準値との比較により前記各蓄電池の電圧異常を判定する判定手段と、
前記組電池のインピーダンスを検出するインピーダンス検出手段と、
このインピーダンス検出手段の検出インピーダンスと設定値との比較により前記組電池の劣化または寿命切れを判定する判定手段と、
前記各判定手段の判定結果を報知する報知手段と、
初期補正モードを設定するための設定手段と、
この設定手段で初期補正モードが設定されたとき、前記インピーダンス検出手段を機能させ、インピーダンス検出手段の検出インピーダンスから前記各蓄電池の初期内部インピーダンスの合計基準値を減算して前記組電池における配線インピーダンスを求め、この配線インピーダンスおよび検出インピーダンスに基づいて前記設定値を補正する補正手段と、
を具備したことを特徴とする蓄電池電源装置。
【請求項３】
複数の蓄電池からなる組電池と、
前記各蓄電池の電圧Ｖｂを検知する電圧検知手段と、
この電圧検知手段の各検知電圧Ｖｂと基準値Ｖｂｓとの比較により前記各蓄電池の電圧異常を判定する判定手段と、
前記組電池またはその周囲の温度ｔを検知する温度検知手段と、
前記組電池のインピーダンスＲｏを検出するインピーダンス検出手段と、
このインピーダンス検出手段の検出インピーダンスＲｏを前記温度検知手段の検知温度ｔにより補正する補正手段と、
この補正手段の補正インピーダンスＲｏ（ｔ）と設定値との比較により前記組電池の劣化または寿命切れを判定する判定手段と、
前記各判定手段の判定結果を報知する報知手段と、
初期補正モードを設定するための設定手段と、
この設定手段で初期補正モードが設定されたとき、前記温度検知手段、前記インピーダンス検出手段、前記補正手段を機能させ、補正手段の補正インピーダンスＲｏ（ｔ）から前記各蓄電池の初期内部インピーダンスＺｒの合計基準値Ｚｒｎ（ｏ）を減算して前記組電池における配線インピーダンスＲｃを求め、この配線インピーダンスＲｃおよび補正インピーダンスＲｏ（ｔ）に基づいて前記設定値を補正する補正手段と、
を具備したことを特徴とする蓄電池電源装置。
【請求項４】
商用交流電源の電圧を整流する整流回路、およびこの整流回路の出力電圧を交流に変換するスイッチング回路を備えたものにおいて、
前記整流回路と前記スイッチング回路との間の通電路に対する接続が可能な接続端子と、
複数の蓄電池からなり、前記接続端子に接続された組電池と、
前記各蓄電池の電圧Ｖｂを検知する電圧検知手段と、
この電圧検知手段の各検知電圧Ｖｂと基準値Ｖｂｓとの比較により前記各蓄電池の電圧異常を判定する判定手段と、
前記組電池またはその周囲の温度ｔを検知する温度検知手段と、
前記組電池のインピーダンスＲｏを検出するインピーダンス検出手段と、
このインピーダンス検出手段の検出インピーダンスＲｏを前記温度検知手段の検知温度ｔにより補正する補正手段と、
この補正手段の補正インピーダンスＲｏ（ｔ）と設定値との比較により前記組電池の劣化または寿命切れを判定する判定手段と、
前記各判定手段の判定結果を報知する報知手段と、
初期補正モードを設定するための設定手段と、
この設定手段で初期補正モードが設定されたとき、前記温度検知手段、前記インピーダンス検出手段、前記補正手段を機能させ、補正手段の補正インピーダンスＲｏ（ｔ）から前記各蓄電池の初期内部インピーダンスＺｒの合計基準値Ｚｒｎ（ｏ）を減算して前記組電池における配線インピーダンスＲｃを求め、この配線インピーダンスＲｃおよび補正インピーダンスＲｏ（ｔ）に基づいて前記設定値を補正する補正手段と、
を具備したことを特徴とする蓄電池電源装置。
【請求項５】
請求項３または請求項４に記載の蓄電池電源装置において、
前記インピーダンス検出手段は、前記組電池に検出用電流を供給する手段と、この検出用電流に基づいて組電池のインピーダンスを検出する手段と、前記検出用電流が前記接続端子を通して外部に流出するのを阻止するフィルタと、で構成されていることを特徴とする蓄電池電源装置。
【請求項６】
請求項１、請求項２、請求項３、および請求項４のいずれかに記載の蓄電池電源装置において、
前記報知手段は、前記各判定手段の判定結果を表示するための表示部と、前記各判定手段の判定結果を表わすデータを外部転送するためのデータ転送用端子と、を有していることを特徴とする蓄電池電源装置。
【請求項７】
請求項１、請求項２、請求項３、および請求項４のいずれかに記載の蓄電池電源装置において、
前記設定手段は、モード設定スイッチと、前記接続端子への最初の充電電圧入力を検知する検知手段と、この検知手段の検知時および前記モード設定スイッチの操作時にそれぞれ初期補正モードを設定する手段と、を有していることを特徴とする蓄電池電源装置。
【発明の詳細な説明】
【０００１】
【発明の属する技術分野】
この発明は、無停電給電システムなどに使用される蓄電池電源装置に関する。
【０００２】
【従来の技術】
商用交流電源の電圧を整流する整流回路、この整流回路の出力電圧を交流電圧に変換するスイッチング回路、およびこの整流回路とスイッチング回路との間の通電路に接続された組電池を備え、商用交流電源が正常に投入されている場合は商用交流電源の電力を使用して負荷への電力供給と組電池の充電を行い、商用交流電源が停電した場合は組電池の放電によって負荷への電力供給を継続する無停電給電システムがある。組電池は、複数の蓄電池により構成されている。
【０００３】
この無停電給電システムでは、非常時の電力供給が適切に行われるよう、各蓄電池の状態を定期的または必要に応じて点検する必要がある。仮に、各蓄電池のいずれかに電圧異常、劣化進行、寿命切れなどの不良が見つかった場合は、その蓄電池を新しいものと交換しなければならない。
【０００４】
【発明が解決しようとする課題】
各蓄電池の点検は保守員の手作業に頼っており、保守員にとって大きな負担となっている。
各蓄電池のいずれかに不良が生じた場合、または寿命により蓄電池容量がなくなった場合でも、保守員の点検があるまではその不良を見つけることができない。不良が生じたまま商用交流電源が停電する可能性もあり、その場合には負荷に対する適切な電力供給ができず、負荷がシステムダウンしてしまう。
【０００５】
この発明は上記の事情を考慮したもので、その目的とするところは、各蓄電池に不良が生じた場合に、それを保守員の手作業を要することなく迅速かつ的確に検出して報知することができる信頼性にすぐれた蓄電池電源装置を提供することにある。
【０００６】
【課題を解決するための手段】
請求項１に係る発明の蓄電池電源装置は、複数の蓄電池からなる組電池と、上記各蓄電池の電圧を検知する電圧検知手段と、この電圧検知手段の各検知電圧と基準値との比較により上記各蓄電池の電圧異常を判定する判定手段と、上記組電池のインピーダンスを検出するインピーダンス検出手段と、このインピーダンス検出手段の検出インピーダンスと設定値との比較により上記組電池の劣化または寿命切れを判定する判定手段と、上記各判定手段の判定結果を報知する報知手段と、初期補正モードを設定するための設定手段と、この設定手段で初期補正モードが設定されたとき、上記インピーダンス検出手段を機能させ、インピーダンス検出手段の検出インピーダンスから前記各蓄電池の初期内部インピーダンスの合計基準値を減算して上記組電池における配線インピーダンスを求め、この配線インピーダンスおよび検出インピーダンスに基づいて上記設定値を補正する補正手段と、を備えている。
【０００７】
請求項２に係る発明の蓄電池電源装置は、商用交流電源の電圧を整流する整流回路、およびこの整流回路の出力電圧を交流に変換するスイッチング回路を備えたインバータ回路に接続されるものであって、上記整流回路と上記スイッチング回路との間の通電路に対する接続が可能な接続端子と、複数の蓄電池からなり、上記接続端子に接続された組電池と、上記各蓄電池の電圧を検知する電圧検知手段と、この電圧検知手段の各検知電圧と基準値との比較により上記各蓄電池の電圧異常を判定する判定手段と、上記組電池のインピーダンスを検出するインピーダンス検出手段と、このインピーダンス検出手段の検出インピーダンスと設定値との比較により上記組電池の劣化または寿命切れを判定する判定手段と、上記各判定手段の判定結果を報知する報知手段と、初期補正モードを設定するための設定手段と、この設定手段で初期補正モードが設定されたとき、上記インピーダンス検出手段を機能させ、インピーダンス検出手段の検出インピーダンスから前記各蓄電池の初期内部インピーダンスの合計基準値を減算して上記組電池における配線インピーダンスを求め、この配線インピーダンスおよび検出インピーダンスに基づいて上記設定値を補正する補正手段と、を備えている。
【００１１】
請求項３に係る発明の蓄電池電源装置は、複数の蓄電池からなる組電池と、上記各蓄電池の電圧Ｖｂを検知する電圧検知手段と、この電圧検知手段の各検知電圧Ｖｂと基準値Ｖｂｓとの比較により上記各蓄電池の電圧異常を判定する判定手段と、上記組電池またはその周囲の温度ｔを検知する温度検知手段と、上記組電池のインピーダンスＲｏを検出するインピーダンス検出手段と、このインピーダンス検出手段の検出インピーダンスＲｏを上記温度検知手段の検知温度ｔにより補正する補正手段と、この補正手段の補正インピーダンスＲｏ（ｔ）と設定値との比較により上記組電池の劣化または寿命切れを判定する判定手段と、上記各判定手段の判定結果を報知する報知手段と、初期補正モードを設定するための設定手段と、この設定手段で初期補正モードが設定されたとき、温度検知手段、インピーダンス検出手段、補正手段を機能させ、補正手段の補正インピーダンスＲｏ（ｔ）から各蓄電池の初期内部インピーダンスＺｒの合計基準値Ｚｒｎ（ｏ）を減算して組電池における配線インピーダンスＲｃを求め、この配線インピーダンスＲｃおよび補正インピーダンスＲｏ（ｔ）に基づいて上記設定値を補正する補正手段と、を備えている。
【００１２】
請求項４に係る発明の蓄電池電源装置は、商用交流電源の電圧を整流する整流回路、およびこの整流回路の出力電圧を交流に変換するスイッチング回路を備えたものにおいて、上記整流回路と上記スイッチング回路との間の通電路に対する接続が可能な接続端子と、複数の蓄電池からなり、上記接続端子に接続された組電池と、上記各蓄電池の電圧Ｖｂを検知する電圧検知手段と、この電圧検知手段の各検知電圧Ｖｂと基準値Ｖｂｓとの比較により上記各蓄電池の電圧異常を判定する判定手段と、上記組電池またはその周囲の温度ｔを検知する温度検知手段と、上記組電池のインピーダンスＲｏを検出するインピーダンス検出手段と、このインピーダンス検出手段の検出インピーダンスＲｏを上記温度検知手段の検知温度ｔにより補正する補正手段と、この補正手段の補正インピーダンスＲｏ（ｔ）と設定値との比較により上記組電池の劣化または寿命切れを判定する判定手段と、上記各判定手段の判定結果を報知する報知手段と、初期補正モードを設定するための設定手段と、この設定手段で初期補正モードが設定されたとき、温度検知手段、インピーダンス検出手段、補正手段を機能させ、補正手段の補正インピーダンスＲｏ（ｔ）から各蓄電池の初期内部インピーダンスＺｒの合計基準値Ｚｒｎ（ｏ）を減算して組電池における配線インピーダンスＲｃを求め、この配線インピーダンスＲｃおよび補正インピーダンスＲｏ（ｔ）に基づいて上記設定値を補正する補正手段と、を備えている。
【００１３】
請求項５に係る発明の蓄電池電源装置は、請求項３または請求項４に係る発明において、インピーダンス検出手段について限定している。インピーダンス検出手段は、組電池に検出用電流を供給する手段と、この検出用電流に基づいて組電池のインピーダンスを検出する手段と、上記検出用電流が接続端子を通して外部に流出するのを阻止するフィルタと、で構成されている。
【００１６】
請求項６に係る発明の蓄電池電源装置は、請求項１、請求項２、請求項３、および請求項４のいずれかに係る発明において、報知手段について限定している。報知手段は、各判定手段の判定結果を表示するための表示部と、各判定手段の判定結果を表わすデータを外部転送するためのデータ転送用端子と、を有している。
【００１７】
請求項７に係る発明の蓄電池電源装置は、請求項１、請求項２、請求項３、および請求項４のいずれかに係る発明において、初期補正モード設定手段について限定している。初期補正モード設定手段は、モード設定スイッチと、接続端子への最初の充電電圧入力を検知する検知手段と、この検知手段の検知時および上記モード設定スイッチの操作時にそれぞれ初期補正モードを設定する手段と、を有している。
【００１８】
【発明の実施の形態】
以下、この発明の一実施形態について図面を参照して説明する。
【００１９】
図１に示すように、商用交流電源１に電源スイッチ２を介してインバータ回路３が接続されている。インバータ回路３は、商用交流電源１の電圧を整流する整流回路４、およびこの整流回路４の出力電圧（直流電圧）をスイッチングにより所定周波数の交流電圧に変換するスイッチング回路５を有する。このインバータ回路３の出力電圧（交流電圧）が負荷スイッチ６を介して負荷７に供給される。
【００２０】
このような電源システムにおいて、整流回路４とスイッチング回路５との間の通電路に蓄電池電源装置１０の接続端子１１が接続される。この接続により、無停電給電システムが構成されている。
【００２１】
蓄電池電源装置１０は、接続端子１１のほかに、複数の蓄電池１２、この各蓄電池１２の端子を順次に直列接続するための複数のケーブル１３、各蓄電池１２の総電圧を接続端子１１に供給するための一対のケーブル１４、このケーブル１４に装着されたフィルタ１５、１つの蓄電池１２に取り付けられた温度センサ（温度検知手段）１６、および監視部２０などを備えている。
【００２２】
各蓄電池１２およびその直列接続により、いわゆる組電池Ａが構成されている。この組電池Ａの温度ｔが、上記温度センサ１６によって検知される。フィルタ１５は、後述する検出用電流が接続端子１１を通して外部に流出する不具合を阻止するために設けられている。
【００２３】
監視部２０は、液晶表示部２１、モード設定スイッチ２２、およびリセットスイッチ２３を筐体前面に有し、ＣＰＵ２４、ＲＯＭ２５、およびＲＡＭ２６を内蔵し、さらに、データ転送用端子２７を筐体側面に有している。
【００２４】
液晶表示部２１は、後述する判定結果の表示用である。モード設定スイッチ２２は、後述する初期補正モードの設定用である。リセットスイッチ２３は、報知動作をリセットするためのものである。ＣＰＵ２４は、当該蓄電池電源装置１０の主制御部として機能する。ＲＯＭ２５は、制御用のプログラムを記憶している。ＲＡＭ２６は、各種データの記憶用である。データ転送用端子２７は、後述の判定結果を表わすデータを外部機器に転送するためのインタフェースである。
【００２５】
各蓄電池１２の端子にそれぞれリード線の一端が接続され、これらリード線の他端が監視部２０に接続されている。また、温度センサ１６の出力信号線が監視部２０に接続されている。
【００２６】
監視部２０は、主要な機能として次の［１］〜［９］の手段を備えている。
【００２７】
［１］接続端子１１に充電電圧が入力されていないときに、各蓄電池１２の電圧Ｖｂを検知する電圧検知手段。
【００２８】
［２］上記電圧検知手段の各検知電圧ＶｂとＲＯＭ２５に記憶されている基準値Ｖｂｓとの比較により、各蓄電池１２の電圧異常を判定する判定手段。
【００２９】
［３］上記フィルタ１５の作用を利用して組電池Ａに検出用電流を供給し、この検出用電流に基づいて組電池ＡのインピーダンスＲｏを検出するインピーダンス検出手段。
【００３０】
［４］上記インピーダンス検出手段の検出インピーダンスＲｏを温度センサ１６の検知温度ｔにより補正する補正手段。
【００３１】
［５］上記補正手段の補正インピーダンスＲｏ（ｔ）とＲＡＭ２６に記憶されている設定値Ｒ１，Ｒ２との比較により、組電池Ａの劣化および寿命切れを判定する判定手段。
【００３２】
［６］上記各判定手段の判定結果を液晶表示部２１での文字表示およびデータ転送用端子２７からのデータ転送により報知する報知手段。
【００３３】
［７］接続端子１１への最初の充電電圧入力を検知する検知手段。
【００３４】
［８］上記検知手段の検知時およびモード設定スイッチ２２の操作時にそれぞれ初期補正モードを設定する設定手段。
【００３５】
［９］初期補正モードが設定されたとき、温度センサ１６、インピーダンス検出手段、補正手段を機能させ、補正手段の補正インピーダンスＲｏ（ｔ）から各蓄電池１２の初期内部インピーダンスＺｒの合計基準値Ｚｒｎ（ｏ）を減算して組電池Ａにおける配線インピーダンスＲｃを求め、この配線インピーダンスＲｃおよび補正インピーダンスＲｏ（ｔ）に基づいて上記設定値Ｒ１，Ｒ２を補正する補正手段。合計基準値Ｚｒｎ（ｏ）は、ＲＯＭ２５に記憶されている。
【００３６】
一方、蓄電池電源装置１０は、図２に示すように、ケース１０ｃを備えている。このケース１０ｃに、組電池Ａおよび監視部２０が収容されている。ケース１０ｃの一側部は開口され、その開口部分から監視部２０の液晶表示部２１が露出されている。接続端子１１およびデータ転送用端子２７は、ケース１０ｃの他側部に露出されている。
【００３７】
つぎに、図３のフローチャートを参照しながら作用について説明する。
【００３８】
蓄電池電源装置１０の接続端子１１がインバータ回路３にまだ接続されていない場合、あるいは接続端子１１がインバータ回路３に接続されても電源スイッチ２がオフの場合、つまり接続端子１１に充電電圧が入力されていない場合（ステップ１０１のＹＥＳ）、監視部２０により各蓄電池１２の電圧Ｖｂが検知される（ステップ１０２）。これら検知電圧Ｖｂは、ＲＡＭ２６に記憶される。
【００３９】
蓄電池電源装置１０の接続端子１１がインバータ回路３に接続されると、充電電圧が接続端子１１に入力される（ステップ１０１のＮＯ）。この初めての充電電圧入力に基づき、初期補正モードが設定される（ステップ１０３のＹＥＳ）。
【００４０】
初期補正モードでは、ＲＡＭ２６内の各検知電圧（各蓄電池電圧）ＶｂとＲＯＭ２５内の基準値Ｖｂｓとが比較される（ステップ１０４）。各検知電圧Ｖｂのいずれかが基準値Ｖｂｓより低い場合（ステップ１０４のＹＥＳ）、その検知電圧Ｖｂを持つ蓄電池１２に電圧異常が生じている旨が液晶表示部２１で文字表示されるとともに、同蓄電池１２に電圧異常が生じている旨のデータがデータ転送用端子２７から出力される（ステップ１０５）。この電圧異常報知により、異常対象の蓄電池１２が保守員によって新品と交換される。交換後、保守員がリセットスイッチ２３を操作することにより、電圧異常報知が解除される。
【００４１】
電圧異常が無い場合（ステップ１０４のＮＯ）、監視部２０から組電池Ａにインピーダンス検出用の電流が瞬時的に供給される。供給される検出用電流は、フィルタ１５の存在により、組電池Ａ内のみ流れ、接続端子１１側には流れない。この検出用電流に基づき、組電池ＡのインピーダンスＲｏが監視部２０で検出される（ステップ１０６）。
【００４２】
ただし、図４に示すように、蓄電池１２の内部インピーダンスＺｒには温度特性がある。この温度特性を考慮して、組電池Ａの温度ｔが温度センサ１６により検知され（ステップ１０７）、その検知温度ｔにより上記検出インピーダンスＲｏが補正されて補正インピーダンスＲｏ（ｔ）が得られる（ステップ１０８）。
【００４３】
そして、補正インピーダンスＲｏ（ｔ）から各蓄電池１２の初期内部インピーダンスＺｒの合計基準値Ｚｒｎ（ｏ）が減算され、組電池Ａにおける配線インピーダンスＲｃが求められる（ステップ１０９）。配線インピーダンスＲｃとは、各蓄電池１２の内部インピーダンスＺｒを除いたインピーダンスのことであり、各ケーブル１３のインピーダンス、および各ケーブル１３と各蓄電池端子との接触部のインピーダンスを合わせたものに相当する。
【００４４】
この配線インピーダンスＲｃおよび補正インピーダンスＲｏ（ｔ）に基づいて、ＲＡＭ２６内の劣化判定用の設定値Ｒ１および寿命切れ判定用の設定値Ｒ２が補正される（ステップ１１０）。これで、初期補正モードが終了する。
【００４５】
初期補正モードが終了すると、一定時間ごとに、組電池Ａの温度ｔが温度センサ１６により検知され（ステップ１１１）、かつ監視部２０から組電池Ａに検出用電流が瞬時的に供給されて組電池ＡのインピーダンスＲｏが検出される（ステップ１１２）。そして、温度センサ１６の検知温度ｔにより検出インピーダンスＲｏが補正され、補正インピーダンスＲｏ（ｔ）が得られる（ステップ１１３）。
【００４６】
補正インピーダンスＲｏ（ｔ）とＲＡＭ２６内の設定値Ｒ２とが比較される（ステップ１１４）。図５に示すように、補正インピーダンスＲｏ（ｔ）が設定値Ｒ２以上になると（ステップ１１４のＹＥＳ）、組電池Ａが寿命切れである旨が液晶表示部２１で文字表示されるとともに、組電池Ａが寿命切れである旨のデータがデータ転送用端子２７から出力される（ステップ１１５）。この寿命切れ報知により、組電池Ａが保守員によって新品と交換される。交換後、保守員がリセットスイッチ２３を操作することにより、寿命切れ報知が解除される。
【００４７】
補正インピーダンスＲｏ（ｔ）が設定値Ｒ２に達していない場合（ステップ１１４のＮＯ）、補正インピーダンスＲｏ（ｔ）とＲＡＭ２６内の設定値Ｒ１とが比較される（ステップ１１６）。図５に示すように、補正インピーダンスＲｏ（ｔ）が設定値Ｒ１以上の状態にあれば（ステップ１１６のＹＥＳ）、組電池Ａが劣化している旨（寿命切れ直前である旨）が液晶表示部２１で文字表示されるとともに、組電池Ａが劣化している旨のデータがデータ転送用端子２７から出力される（ステップ１１７）。この劣化報知により、組電池Ａが寿命切れとなる前に、その組電池Ａが保守員により新品と交換される。交換後、保守員がリセットスイッチ２３を操作することにより、劣化報知が解除される。
【００４８】
以上のように、電圧異常、劣化、寿命切れなどの不良を、保守員の作業を要することなく迅速かつ的確に検出して報知することができる。これにより、蓄電池電源装置１０を常に適正稼動の状態に維持することができ、蓄電池電源装置１０としての高い信頼性を確保することができる。
【００４９】
しかも、蓄電池電源装置１０がインバータ回路３に最初に接続された際に、初期補正モードを設定して劣化判定用および寿命切れ判定用の設定値Ｒ１，Ｒ２を補正するようにしているので、組電池Ａの配線インピーダンスＲｃの製品ごとのバラツキに影響を受けることなく、適正な劣化判定および寿命切れ判定を行うことができる。
【００５０】
この初期補正モードは、蓄電池１２や組電池Ａを新品と交換した場合に、モード設定スイッチ２２を操作することでも設定することができる。この設定により、常に適正な劣化判定および寿命切れ判定が可能となる。
【００５１】
なお、上記実施形態では、インピーダンス検出用電流が接続端子１１側に流れるのを防ぐ手段としてフィルタ１５を設けたが、それに代えて、図６に示す構成を採用してもよい。
【００５２】
すなわち、組電池Ａと接続端子１１とを接続している一対のケーブル１４の一方に半導体スイッチたとえば双方向性サイリスタ１７が挿接され、その双方向性サイリスタ１７のトリガ端子が監視部２０に接続される。さらに、接続端子１１にコンデンサ１８が接続される。
【００５３】
監視部２０は、初期補正モードのインピーダンス検出時に双方向性サイリスタ１７を瞬時的にオフし、そのオフ時に検出用電流を組電池Ａに供給する。このインピーダンス検出以外は、双方向性サイリスタ１７が常時オンされる。
コンデンサ１８は、接続端子１１を通して充電されており、双方向性サイリスタ１７のオフ時のバックアップ用電源として機能する。
【００５４】
また、上記実施形態では、無停電給電システムへの適用を例に説明したが、無停電給電システムに限らず、蓄電池によるバックアップを必要とするものであれば広範囲の機器に適用可能である。
【００５５】
さらに、上記実施形態において、蓄電池電源装置１０のケースとしては、図２に示したケース１０ｃに限らず、図７に示すケース３０を用いてもよい。
ケース３０は、前面に開閉自在な扉３１を備え、内部には複数段の棚板を上下方向に配列して備え、これら棚板上に各蓄電池１２を載置している。監視部２０もケース３０に収容されており、その監視部２０の液晶表示部２１、モード設定スイッチ２２、およびリセットスイッチ２３が前面における扉３１の隣位置に露出されている。接続端子１１およびデータ転送用端子２７は、ケース３０の側面に露出されている。このケース３０の場合、扉３１を開けることにより、各蓄電池１２を迅速かつ容易に保守管理することが可能である。
【００５６】
その他、この発明は上記実施形態に限定されるものではなく、要旨を変えない範囲で種々変更実施可能である。
【００５７】
【発明の効果】
以上述べたようにこの発明によれば、各蓄電池に不良が生じた場合に、それを保守員の手作業を要することなく迅速かつ的確に検出して報知することができる信頼性にすぐれた蓄電池電源装置を提供できる。
【図面の簡単な説明】
【図１】一実施形態の構成を示すブロック図。
【図２】一実施形態のケースおよびそのケース内の構成を示す図。
【図３】一実施形態の作用を説明するためのフローチャート。
【図４】一実施形態における蓄電池のインピーダンス特性を示す図。
【図５】一実施形態の各インピーダンスと報知との関係を示す図。
【図６】他の実施形態の構成を示すブロック図。
【図７】一実施形態におけるケースの変形例の構成を示す斜視図。
【符号の説明】
１…商用交流電源、２…電源スイッチ、３…インバータ回路、４…整流回路、５…スイッチング回路、６…負荷スイッチ、７…負荷、１０…蓄電池電源装置、１０ｃ…ケース、１１…接続端子、１２…蓄電池、１３…ケーブル、１４、…ケーブル、１５…フィルタ、１６…温度センサ、２０…監視部、２１…液晶表示部、２２…モード設定スイッチ、２３…リセットスイッチ、２４…ＣＰＵ、２５…ＲＯＭ、２６…ＲＡＭ、２７…データ転送用端子、３０…ケース
【図１】
0003597131.tif 000002
【図２】
0003597131.tif 000003
【図３】
0003597131.tif 000004
【図４】
0003597131.tif 000005
【図５】
0003597131.tif 000006
【図６】
0003597131.tif 000007
【図７】
0003597131.tif 000008